(57)【要約】【課題】アンテナ側で電源ショート等による過電流が発生した場合に、即時に安全回路を作動させ、ヒューズが溶断される前に、アンテナ電源回路をＯＦＦし、ヒューズの取替えを削減し、直ぐに元に復帰できる安全な電源保護装置を提供する。【解決手段】アンテナ電源回路４３から直列にヒューズ４５を介して、アンテナ制御ケーブル２３に電源を供給し、このヒューズ４５に電圧信号検出ライン４６の一端を接続し、他端をＣＰＵ１６に接続し、電圧検出信号によりＣＰＵ１６で制御信号を発生させ、この制御信号を用いて、アンテナ電源回路４３に接続する電源スイッチ回路４４を制御することにより、アンテナ供給電源の短絡時において、ヒューズ４５が過電流で溶断する前に、電源供給を停止させて電源回路を保護する。【選択図】図２
2006054833.tif 000002
【特許請求の範囲】
【請求項１】
交流電源を入力とし、入力側にヒューズ（ヒューズ（ＡＣ）と呼ぶ）をもつ電源部を備えたディジタルテレビジョン放送信号受信装置に内蔵されるアンテナ用電源保護回路であって、
アンテナの制御回路に直流電源を供給する電源ラインに、この電源ラインの過電流を阻止するためのヒューズ（ヒューズ（ＤＣ）と呼ぶ）と、このヒューズ（ＤＣ）に直列に配設されたアンテナ用直流安定化電源回路（以下、アンテナ電源回路と略す）とを有し、
前記ディジタルテレビジョン放送信号受信装置の内部の回路を制御するＣＰＵの端子と前記ヒューズ（ＤＣ）の一端との間に、該ヒューズ（ＤＣ）の一端の電圧が検出可能な、ダイオードと抵抗による電圧信号検出ラインを有し、
前記アンテナ電源回路を制御する電子電源スイッチ回路を備え、
前記ヒューズ（ＤＣ）は、過電流が生じた場合、前記ヒューズ（ＡＣ）よりも小さな電流で溶断され、
前記電源ラインの過電流時に、前記ヒューズ（ＤＣ）が過電流で溶断される前に、前記電圧信号検出ラインからの検出電圧入力に応じて、前記電子電源スイッチ回路が、前記アンテナ電源回路による電源供給を停止させると共に、
この電源供給の停止が正常に行えなかった場合には、前記ヒューズ（ＡＣ）が溶断される前に、前記ヒューズ（ＤＣ）が溶断されるようにしたことを特徴とするアンテナ用電源保護回路。
【請求項２】
アンテナの制御回路に直流電源を供給する電源ラインに、この電圧ラインの過電流を阻止するためのヒューズと、このヒューズ（ＤＣ）に直列に配設されたアンテナ用直流安定化電源回路（以下、アンテナ電源回路と略す）とを有し、
前記アンテナ電源回路及びその周辺回路を制御するＣＰＵの端子と前記ヒューズの一端との間に、該ヒューズの一端の電圧が検出可能な電圧信号検出ラインを有し、
前記アンテナ電源回路を制御する電子電源スイッチ回路を備え、
前記ヒューズが過電流で溶断される前に、前記電圧信号検出ラインからの検出電圧入力に応じて、前記電子電源スイッチ回路が、前記アンテナ電源回路による電源供給を停止させるようにしたことを特徴とするアンテナ用電源保護回路。
【請求項３】
前記電圧信号検出ラインを、ダイオードと抵抗で構成したことを特徴とする請求項２に記載のアンテナ用電源保護回路。
【発明の詳細な説明】
【技術分野】
【０００１】
本発明は、例えばＡＴＳＣなどのディジタルテレビジョン放送信号を受信するアンテナ用電源保護回路に関する。
【背景技術】
【０００２】
ＡＴＳＣディジタルテレビジョン放送（以下、ＴＶ放送と略称する）が行われている北米大陸では、スマートアンテナなど多指向性アンテナが実用化されつつある。ＥＩＡ−９０９規格によれば、スマートアンテナは円を１６分割した各方向に受信方向を有すると規定されている。そして、実際に市販されている多指向性アンテナの中には、アンテナをモータで回転させて受信方向を切り換えるタイプや、複数のアンテナを有し、電子スイッチのオン／オフにより有効なアンテナの方向を切り換えるタイプ（アンテナ自体は回転しない）など、様々な構造のものが存在する。
【０００３】
このような多指向性アンテナでは、アンテナをモータ回転させるためのモータ用電源、電子スイッチ用電源などの電源が必要であり、一般に、アンテナに接続されるテレビジョン放送受信装置内で構成する電源装置から電源を供給している。
【０００４】
また、ＢＳ放送用受信アンテナは、アンテナに増幅器を含む低雑音ダウンコンバータを備えているため、ＢＳ受信機の屋内ユニットからＤＣ電源を同軸ケーブルに重畳して供給している。
【０００５】
このようにＴＶ信号受信装置から電源供給をしている場合、アンテナ制御ケーブルで電源を供給したり、同軸ケーブルに電源を重畳して供給したりしているので、それらのケーブルの終端において誤って短絡した場合や、モータの不具合等の場合に、過電流により電源供給側の受信装置で回路が壊れるなどのトラブル発生の危険性があり、その対策が必要とされてきた。
【０００６】
なお、従来から、ＢＳアンテナ用電源回路において、アンテナの短絡使用による不具合時の過電流保護のために３端子レギュレータを設け、さらに同３端子レギュレータを瞬時に動作させるための保護回路を設けることが知られているが、複雑で、部品数が多く高価である（例えば、特許文献１参照）。また、アンテナ駆動用モータの電源保護手段としては、モータの直流電源に過電流が発生した場合に、ブレーカで電源を遮断する方法や、相電圧、相電流検出回路、及び論理積回路を用い、アンテナ駆動モータの電源形式（直流、交流、三相）や電源容量を問わずモータを保護する方法が知られているが、いずれも、同様に複雑で、高価である（例えば、特許文献２及び特許文献３参照）。その他、電源回路を過電流から保護する電源保護回路が知られている（例えば、特許文献４参照）。
【特許文献１】実開平４−８０２３７号公報
【特許文献２】特開平５−２８４０５２号公報
【特許文献３】特開平１０−１５０７２０号公報
【特許文献４】特開２０００−１９７２６６号公報
【発明の開示】
【発明が解決しようとする課題】
【０００７】
しかしながら、上述のスマートアンテナでは、アンテナの回転モータ用の電源として、受信装置側より、＋１２ＶのＤＣ電源を供給している電源ラインで、アンテナ側の電源ラインの短絡や、モータの不具合による過電流に対する受信装置側の電源保護のために、通常、受信装置にヒューズを備えて、過電流対策としていたが、ヒューズが切れる度に、ヒューズの交換を必要とする煩わしさがあり、特に、受信中にヒューズが切れた場合には、ユーザがヒューズ取替えに時間が掛かり、折角の楽しんでいた番組が見られなくなるという不便が発生していた。従って、ヒューズを保護し、ヒューズの交換を少なくする電源保護対策が望まれていた。また、これに対し、従来より、種々のアンテナ用電源保護回路が提案されてきているが、上記に示したように、いずれも複雑で高価であるという課題があった。
【０００８】
本発明は、上記問題を解決するものであり、簡単な構成で、安価に実現でき、アンテナ側の電源ショートにより過電流が発生した場合に、即時に安全回路を作動させ、ヒューズが溶断される前に、アンテナへの電源供給を停止し、ヒューズ交換の煩わしさを解消することができると共に、上記のアンテナへの電源供給の停止が正常に行えなかった場合でも、アンテナ用電源及びその周辺回路を確実に保護することが可能な電源保護装置を提供することを目的とする。
【課題を解決するための手段】
【０００９】
上記目的を達成するために請求項１の発明は、交流電源を入力とし、入力側にヒューズ（ヒューズ（ＡＣ）と呼ぶ）をもつ電源部を備えたディジタルテレビジョン放送信号受信装置に内蔵されるアンテナ用電源保護回路であって、アンテナの制御回路に直流電源を供給する電源ラインに、この電源ラインの過電流を阻止するためのヒューズ（ヒューズ（ＤＣ）と呼ぶ）と、このヒューズ（ＤＣ）に直列に配設されたアンテナ用直流安定化電源回路（以下、アンテナ電源回路と略す）とを有し、前記ディジタルテレビジョン放送信号受信装置の内部の回路を制御するＣＰＵの端子と前記ヒューズ（ＤＣ）の一端との間に、該ヒューズ（ＤＣ）の一端の電圧が検出可能な、ダイオードと抵抗による電圧信号検出ラインを有し、前記アンテナ電源回路を制御する電子電源スイッチ回路を備え、前記ヒューズ（ＤＣ）は、過電流が生じた場合、前記ヒューズ（ＡＣ）よりも小さな電流で溶断され、前記電源ラインの過電流時に、前記ヒューズ（ＤＣ）が過電流で溶断される前に、前記電圧信号検出ラインからの検出電圧入力に応じて、前記電子電源スイッチ回路が、前記アンテナ電源回路による電源供給を停止させると共に、この電源供給の停止が正常に行えなかった場合には、前記ヒューズ（ＡＣ）が溶断される前に、前記ヒューズ（ＤＣ）が溶断されるようにしたものである。
【００１０】
請求項２の発明は、アンテナの制御回路に直流電源を供給する電源ラインに、この電圧ラインの過電流を阻止するためのヒューズと、このヒューズ（ＤＣ）に直列に配設されたアンテナ用直流安定化電源回路（以下、アンテナ電源回路と略す）とを有し、前記アンテナ電源回路及びその周辺回路を制御するＣＰＵの端子と前記ヒューズの一端との間に、該ヒューズの一端の電圧が検出可能な電圧信号検出ラインを有し、前記アンテナ電源回路を制御する電子電源スイッチ回路を備え、前記ヒューズが過電流で溶断される前に、前記電圧信号検出ラインからの検出電圧入力に応じて、前記電子電源スイッチ回路が、前記アンテナ電源回路による電源供給を停止させるようにしたものである。
【００１１】
請求項３の発明は、前記電圧信号検出ラインを、ダイオードと抵抗で構成したものである。
【発明の効果】
【００１２】
請求項１の発明によれば、アンテナに電源を供給するアンテナ制御ケーブルや、アンテナからの高周波信号にアンテナ電源が重畳されている同軸ケーブル等のアンテナ信号ケーブルが、終端で誤って短絡された時や、受信装置とアンテナ制御ケーブルの接続時でのコネクタ接続間違いによる電源の短絡時、及びモータの不具合時等において、電源回路に過電流が流れた場合に、即時に、受信装置内の電源保護回路を起動し、ヒューズの溶断を防ぐことができると共に、短絡などの異常状態が取り除かれた場合は、直ぐに自動的に電源回路を復帰させることができるので、ユーザが、わざわざヒューズ交換する煩わしさが解消され、ＴＶ番組視聴中に電源短絡が生じた場合も、最小限の時間待ちで元の映像を楽しむことができる。同時に、受信装置の破損も未然に防ぐことができ、極めて安全性及び信頼性の高い受信装置を得ることができる。また、簡単な構成で、安価な電源保護回路を得ることができる。
【００１３】
また、ＣＰＵでの設定ミスや、落雷時等のアンテナ側での異常電圧発生の影響により、過電流時の、アンテナ電源回路停止の制御が正常に行えなかった場合には、ヒューズ（ＤＣ）（アンテナ電源回路の直流電源ラインに配設されているので、以下、ヒューズ（ＤＣ）と呼ぶ）を溶断して、アンテナ電源回路を保護することができるので二重の電源保護が可能となる。
【００１４】
さらに、この場合、受信装置全体の電源を供給する主電源回路における交流電源入力側のヒューズ（ＡＣ）（交流電源ラインに配設されているので、以下、ヒューズ（ＡＣ）と呼ぶ）が溶断される前に、ヒューズ（ＤＣ）が溶断されるので、過電流による主電源回路への影響を事前に排除することができ、安全な受信装置を提供することができる。
【００１５】
請求項２の発明によれば、アンテナ側での過電流発生に対し、ヒューズを溶断することなく電源回路を事前に停止させることができるので、ヒューズの取替え作業の必要はなくなり、ユーザに煩わしさの不便を掛けず、また、受信機の安全性と信頼性を高めることができる。
【００１６】
請求項３の発明によれば、ダイオートと抵抗だけの簡単な電圧検出ラインで過電流の異常状態を検出できるので、構成がより簡単で安価な電源保護回路を提供できる。
【発明を実施するための最良の形態】
【００１７】
以下、本発明の一実施の形態に係るディジタルＴＶ放送信号受信装置について図面を参照して説明する。図１は、本実施の形態に係るディジタルＴＶ放送信号受信装置１の構成を示す。ディジタルＴＶ放送信号受信装置１は、多指向性アンテナ２に接続され、ＴＶ放送信号を受信するチューナ１１、チューナ１１で受信したディジタルＴＶ放送信号に対して所定の信号処理を行い、復号化するＡＴＳＣフロントエンド１２、チューナ１１で受信したアナログＴＶ放送信号を復号化するＮＴＳＣデコーダ１３、ＭＰＥＧ圧縮されていたＴＶ放送信号をデコードするＭＰＥＧデコーダ１４、デコードされたＴＶ放送信号に所定の表示画像を重畳させるオンスクリーンディスプレイ部１５、チューナ１１により受信したＴＶ放送信号の受信状態を検知し、多指向性アンテナ２の制御ユニット２１を制御するとともに、ＡＴＳＣフロントエンド１２やＮＴＳＣデコーダ１３などを制御する制御部（以降、ＣＰＵと表す）１６、デコードされたＴＶ放送信号を一時的に記憶し、またデコードされたＴＶ放送信号に重畳させる表示画像を記憶するメモリ１７を備えている。ＭＰＥＧデコーダ１４によりデコードされたＴＶ放送信号は、オンスクリーンディスプレイ部１５を介してモニタ装置３に出力され、表示される。
【００１８】
また、受信装置内に各種電圧電源を供給する電源部４は、受信装置全体の過電流の保護をするため交流電源ラインに設けたヒューズ４１（ヒューズ（ＡＣ）と呼ぶ）と、ヒューズ（ＡＣ）４１を経て交流（ＡＣ）電源Ｖ０が入力され、各種直流電圧を発生する主直流化電源回路（以降、主電源回路と呼ぶ）４２、主電源回路４２に接続されるアンテナ用直流安定化電源回路（以降、アンテナ電源回路と呼ぶ）４３、アンテナ電源回路４３を電子的に制御する電子電源スイッチ回路（以降、電源ＳＷ回路と呼ぶ）４４、過電流保護用の直流電源ラインに設けたヒューズ４５（ヒューズ（ＤＣ）と呼ぶ）、及びヒューズ（ＤＣ）４５の一端の電圧を検出する電圧信号検出ライン４６等からなる。電圧信号検出ライン４６の他端はＣＰＵ１６のセイフティーポート（Ｂ）に接続されており、ＣＰＵ１６は電圧信号検出ライン４６からの検出電圧値により、電源ＳＷ回路４４の制御信号を制御出力ポート（Ｃ）より出力し、この制御信号で電源ＳＷ回路４４はオン、オフされ、この電源ＳＷ回路４４のオン、オフにより、アンテナ電源回路４３がオン、オフされる。従って、アンテナ電源ラインが接地短絡されて、電圧信号検知ライン４６で電圧が０ボルトとなった場合、ＣＰＵ１６は、電源ＳＷ回路４４を直ちにオフして、アンテナ電源回路４３をオフし、アンテナへの電源供給を停止し、電源回路保護を行う。
【００１９】
多指向性アンテナ２の制御ユニット２１は、多指向性アンテナ２で受信されたアンテナ高周波信号を、アンテナ信号ケーブル２２を経て、ディジタルＴＶ放送受信装置１に供給し、ディジタルＴＶ放送受信装置１からは、アンテナ制御ケーブル２３を通して、アンテナへの制御信号が供給される。制御ユニット２１は、制御部（ＣＰＵ）１６からのアンテナ制御ケーブル２３を通して送られる制御信号に応じて起動し、多指向性アンテナの検出後、多指向性アンテナ２の複数ある受信方向のうち、指示された方向のみを有効にする。多指向性アンテナ２がモータでアンテナを回転させて受信方向を切り換えるタイプである場合、制御ユニット２１はモータの回転を制御して、アンテナを指示された方向に向ける。一方、多指向性アンテナ２が電子スイッチのオン／オフにより有効なアンテナの方向を切り換えるタイプである場合、指示された方向のアンテナに接続された電子スイッチのみをオンし、その他の電子スイッチをオフする。
【００２０】
なお、アンテナ制御ケーブル２３は１本とは限らず、スマートアンテナでは、６本を含むモジュラケーブルで構成されている。それらは、ＣＰＵ１６のポート（Ａ）からの、アンテナ制御信号を送出するためのアンテナ制御信号ライン２３−１を通してくるケーブル、アンテナ電源を供給するアンテナ電源ライン２３−２を通してくるケーブル、接地ライン２３−３のケーブル、及び未使用の３本のケーブルで、未使用の３本のケーブルは接地ライン２３−３と同じにしている。また、アンテナへの接続ケーブルを１本にするために、アンテナ電源電圧及びＣＰＵ１６のポート（Ａ）からのアンテナ制御信号を、アンテナからのアンテナ信号ケーブル２２に重畳して、受信装置側からアンテナ側に送ることも可能である。
【００２１】
次に、ディジタルＴＶ放送信号受信装置１の電源部４におけるアンテナ電源回路の詳細構成及び動作について、図２を参照して説明する。図２において、主電源回路４２は、入力の交流（ＡＣ）電源電圧Ｖ０がヒューズ（ＡＣ）４１を介して、１次電源トランスＬ１の１次側に供給され、１次電源整流回路Ｓ１で１次整流された後、２次電源トランスＬ２に入り、２次電源トランスＬ２の２次側から分圧された各交流電圧が２次電源整流回路Ｓ２で整流される。この２次電源整流回路Ｓ２は、整流用ダイオードＤ１〜Ｄ４と容量Ｃ１〜Ｃ４で形成される整流器Ｓ２１〜Ｓ２４で構成される。これらの整流器Ｓ２１〜Ｓ２４から出力された直流電圧Ｖ１〜Ｖ４は、定電圧安定化のための各種直流安定化電源回路に供給される。
【００２２】
次に、整流器Ｓ２１より得られた電圧Ｖ１（＋１２Ｖより高い電圧とする）は、アンテナ電源回路４３に入力され、トランジスタＱ１と、必要な電圧（この場合は、＋１２Ｖ）用に選ばれた定電圧ダイオード（ツェナーダイオード）ＺＤ１、及び抵抗Ｒ１で構成される安定化電圧回路により、安定化された＋１２Ｖの直流電圧を得る。次に、整流器Ｓ２２より得られた電圧Ｖ２は、トランジスタＱ２とトランジスタＱ３で構成される電源ＳＷ回路４４に供給され、ＣＰＵ１６のポート（Ｃ）からの制御電圧が通常、ＨｉｇｈレベルＶ（Ｈ）で供給されるとすると、抵抗Ｒ２と抵抗Ｒ３の分割によるバイアス電圧がトランジスタＱ２のベースに供給され、トランジスタＱ２はオンとなり、抵抗Ｒ４と抵抗Ｒ５で分圧された電圧が、トランジスタＱ３のベースに印加され、Ｑ３はオンされることにより、電源ＳＷ回路４４はオン状態になり、電圧Ｖ２（＋１２Ｖより高い電圧とする）がアンテナ電源回路４３の抵抗Ｒ１に供給され、ツェナーダイオードＺＤ１が作動し、アンテナ電源回路４３の出力より安定化直流電源１２Ｖが得られる。このアンテナ電源回路４３で得られた＋１２Ｖは、ヒューズ４５を通して、アンテナ用の直流電圧として、アンテナ制御ケーブル２３を通して、アンテナに供給される。
【００２３】
そして、ヒューズ（ＤＣ）４５の後の＋１２Ｖ電圧ラインに、抵抗Ｒ６と逆流防止のダイオードＤ５の直列回路で構成される電圧信号検出ライン４６を接続し、この電圧信号検出ライン４６の一方を、ＣＰＵ１６のセイフティ端子のポート（Ｂ）に接続する。通常、電圧信号検出ライン４６からの信号は、ダイオードＤ５のカソード側の電圧が＋１２Ｖと高く、ダイオードＤ５は導通しないため、ＣＰＵ１６のポート（Ｂ）には電圧は加わらないので、ＣＰＵ１６の状態は変わらず、ＣＰＵ１６のポート（Ｃ）はＨｉｇｈレベルＶ（Ｈ）となっており、電源ＳＷ回路４４は、オンの状態を保っている。
【００２４】
ここで、いま、アンテナ側で電源ライン（＋１２Ｖ）が接地短絡された場合、電圧信号検出ライン４６のヒューズ側の電圧は０ボルトとなるので、ダイオードＤ５が導通し、ＣＰＵ１６のポート（Ｂ）の電圧が、Ｌｏｗレベルとなり、これによりＣＰＵ１６は、直ぐに、ポート（Ｃ）の出力電圧をＬｏｗレベル電圧Ｖ（Ｌ）にして、電源ＳＷ回路４４のトランジスタＱ２のベース電圧を低下させることで、トランジスタＱ２をオフさせ、これによりトランジスタＱ３がオフになるので、電源ＳＷ回路４４をオフにすることができる。このことにより、アンテナ電源回路４３への電源電圧供給が切断され、アンテナ電圧は０ボルトとなり、ヒューズ４５の電流も遮断されて、電源回路の保護が得られると共に、ヒューズ４５の溶断も回避される。
【００２５】
その後、アンテナ側で電源電圧ライン（＋１２Ｖ）の短絡が解除されると、ＣＰＵ１６のポート（Ｂ）への電圧信号検出ライン４６のダイオードＤ５が非導通となり、ポート（Ｃ）の出力電圧がＨｉｇｈレベルＶ（Ｈ）となって、電源ＳＷ回路４４をオンとすることにより、アンテナ電源回路４３が導通し、アンテナ電源電圧＋１２Ｖを自動的に復帰させることができる。
【００２６】
また、交流電源ラインのヒューズ（ＡＣ）４１は許容電流が４アンペア（Ａ）程度のものを使用しており、一方、アンテナ電源回路４３に、通常、流れる電流は１５０ミリアンペア（ｍＡ）以下であり、ヒューズ（ＤＣ）４５の許容電流容量は４００ｍＡ程度と、ヒューズ（ＡＣ）４１に比較して十分許容電流容量の小さいものを使用している。いま、過電流時に、ＣＰＵの設定ミスや落雷等の影響等で、電源ＳＷ回路４４の電源保護が働かず、アンテナ電源回路４３に過電流が流れた場合において、ヒューズ（ＤＣ）４５が存在しない場合は、過電流の負荷は、一次電源トランスＬ１、一次電源整流回路Ｓ１に加わり、ヒューズ（ＡＣ）４１に過電流が流れることになる。この時、ヒューズ（ＡＣ）４１の許容電流容量が大きいものを使用すると、アンテナ電源回路４３の過電流が流れても、しばらく切れない可能性があり、この時、過電流が流れ続ければ、受信装置内の回路破壊や回路基板の燃焼など危険な状態になる。これを防ぐために、ヒューズ（ＡＣ）４１の許容電流容量を小さくすると、アンテナの過電流以外の、他の電源回路のわずかな過電流でも直ぐにヒューズ（ＡＣ）４１が溶断し易くなるので、ヒューズ切れが頻繁に起こり極めて不便な状態が発生する。そこで、アンテナ電源ラインのヒューズ（ＤＣ）４５を設ければ、許容電流容量の大きな（数アンペア以上）ヒューズ（ＡＣ）４１を使用できるので、受信装置のヒューズ切れが頻繁に発生しなくなり、ヒューズ取替えの頻度を減らすことができる。このように、電源ＳＷ回路４４による保護回路と共に、ヒューズ（ＤＣ）４５を設けることにより、安全性、信頼性、及び利便性がより向上される。
【００２７】
以上述べたように、本電源保護回路によれば、アンテナ制御ケーブルやアンテナ信号（同軸）ケーブルにより、電源が供給されるアンテナ制御ユニットや、増幅器を備えたアンテナにおいて、アンテナ電源回路ラインや、アンテナ電源電圧の重畳されている各種接続ケーブルが、誤って短絡された場合の過電流時や、モータの不具合等による過電流の発生時に、即時に、受信装置内の電源保護回路を起動させて過電流を防止し、ヒューズの溶断を防ぐことができると共に、短絡などで過電流が流れる異常事態が解消されれば、自動的に電源供給を元の状態に復帰させることができるので、ユーザは、わざわざヒューズの交換をする煩わしさから解放され、ＴＶ番組視聴中での電源短絡などのトラブル時も、最小限の待ち時間で元の映像を楽しむことができる。
【００２８】
また、ＣＰＵでの設定ミスや、落雷等の影響による異常電流電圧が発生し、電圧検出ラインのダイオードが破損する等して、過電流時にアンテナ電源回路の電源供給の停止動作が正常に行えなかった場合に、直流電源ラインのヒューズが溶断することにより、アンテナ電源回路を保護することができるので、電源ＳＷ回路とヒューズの二重の電源保護が可能となり、かつ簡単な構成で、安価に電源保護回路を提供することができる。
【００２９】
さらに、主電源回路部の入力の許容電流容量が比較的大きい数アンペアのヒューズ（ＡＣ）を設け、アンテナ電源回路の直流ラインに許容電流容量の十分小さい（ヒューズ（ＡＣ）の十分の１以下程度の）ヒューズ（ＤＣ）を設けることにより、過電流時に、アンテナ電源回路の電源供給の停止動作が、正常に行えなかった場合において、ヒューズ（ＤＣ）を、ヒューズ（ＡＣ）より、先に溶断させることができるので、主電源回路部に対し、過電流の影響を排除することができ、受信装置の破損や燃焼を未然に防ぐことでき、極めて安全で信頼性の高い電源保護回路が得られる。
【００３０】
そして、さらに安全のため、アンテナ電源の瞬時的な短絡のトラブルが解消された場合に、すぐに自動的に復帰させず、ＣＰＵ制御により、一旦、受信装置のメイン電源をオフし、装置全体の安全を確認した後、再度、主電源スイッチを入れ直して、再スタートさせるように設定することも可能としているので、より安全で信頼性の高い受信装置が得られる。
【００３１】
なお、本発明は、上記実施形態に限られるものではなく、様々な変形が可能である。
前述の実施形態では、電源ＳＷ回路４４は、アンテナ電源回路４３のトランジスタＱ１のベースをオン、オフするよう構成しているが、電源ＳＷ回路４４を、整流器Ｓ２１の出力Ｖ１とアンテナ電源回路４３のトランジスタＱ１コレクタの入力側に接続し、トランジスタＱ１のベース抵抗Ｒ１に整流器Ｓ２２からの電圧Ｖ２を接続して、アンテナ電源回路４３のトランジスタＱ１のコレクタへの入力電源を、電源ＳＷ回路４４でオン、オフして制御することができる。このように、電源ＳＷ回路４４をアンテナ電源回路４３に直列に挿入することにより、アンテナ電源回路４３への供給電圧を直接オン、オフすることを可能とする。
【００３２】
また、電圧信号検出ラインをダイオードと抵抗で構成しているが、トランジスタや電界効果トランジスタ（ＦＥＴ）など他の電子デバイスで構成することも可能であり、電源安定化回路もＬＳＩを利用すればより小型に構成できる。
【図面の簡単な説明】
【００３３】
【図１】本発明の一実施形態に係る電源保護回路を備えたディジタルＴＶ放送信号受信装置の電気的ブロック図。
【図２】上記受信装置における電源保護回路の詳細構成を示す図。
【符号の説明】
【００３４】
１  ディジタルＴＶ放送信号受信装置
２  多指向性アンテナ
４  電源部
１６  制御部（ＣＰＵ）
２３  アンテナ制御ケーブル
４１  ヒューズ（ヒューズ（ＡＣ））
４２  主直流化電源回路（主電源回路）
４３  アンテナ用直流安定化電源回路（アンテナ電源回路）
４４  電子電源スイッチ回路（電源ＳＷ回路）
４５  ヒューズ（ヒューズ（ＤＣ））
４６  電圧信号検出ライン
【図１】
2006054833.tif 000003
【図２】
2006054833.tif 000004